(57)【特許請求の範囲】
【請求項１】
海苔養殖施設をもって海面に展張されている海苔網に対して活性処理を施す海苔網活性処理装置であって、
船上に配置された活性処理液槽であって、中央部と、船上に持ち上げられて船首側から後方に向けて搬送される海苔網を前記中央部内に次第に浸漬するように案内する船尾側に向けて下降するように傾斜している傾斜面からなる前方ガイド面と、前記中央部内を搬送されている海苔網を次第に外部に導くように案内する船尾側に向けて上昇するように傾斜している傾斜面からなる後方ガイド面とを有する活性処理液槽と、
船上に持ち上げられて船首側から後方に向けて搬送される前記海苔網を上から押えて前記活性処理液槽内の活性処理液中に浸漬させる海苔網上方押え部材とを有し、
当該海苔網上方押え部材は、前記活性処理液槽の中央部に大部分が納められており、前記船首部から後方に向けて搬送される前記海苔網および海苔網を支持する綱類を上から押えて前記活性処理液槽との間を通過させように前記活性処理液槽内に自重によって前記海苔網および綱類を押えるとともに前記海苔網および綱類の張力によって活性処理液槽外に排出されないように調整されて設置されており、
前記海苔網上方押え部材には、前記活性処理液槽内の処理液を汲み上げて圧送するポンプと、前記海苔網上方押え部材によって押えられて前記活性処理液槽の前方ガイド面上および後方ガイド面上を近接して搬送される海苔網に対して前記ポンプから圧送される前記処理液を噴射して海苔および海苔網を各ガイド面上において激しく振動させて洗浄を施すノズルとが設置されている
ことを特徴とする海苔網活性処理装置。
【発明の詳細な説明】
【技術分野】
【０００１】
本発明は、海苔養殖場において海面部分に展張されている海苔網やこれに繁殖している海苔を洗浄したり、これらの海苔網や海苔に対して効果的な海苔の活性処理を施す海苔網活性処理装置に関する。
【背景技術】
【０００２】
一般に、海苔養殖は海苔網に浮子を取付けて海面に浮かすように展張して錨で止める浮き流し方式や海中に立設した支柱に海苔網を展張した支柱方式によって行なわれている。
【０００３】
また、健康な海苔を育成し、収穫率を向上させるために海苔の刈取り後の海苔網に対して活性処理を施している。
【０００４】
本出願人は、特許文献１に示すように、このような海苔養殖において、動力推進機構を有する船を海面部分に展張されている海苔網の下面をくぐるように進行させて、前記海苔網を船体の船首部から後部へ相対移動させながら海苔網に対して活性処理を施し、更に後部案内部材をもってこの活性処理に有効な時間だけ前記海苔網を浮上させた後に海面の前記展張位置へ導びいて再び展張させるようにするとともに、海苔網および海苔養殖施設を構成する綱類をスムースに通過させつつ前記綱類より上方位置に所望の部材を支持することができるとともに、構成が簡単であり、軽量で、コストも低廉な海苔養殖施設を構成する綱類通過装置を提案し、また、前記海苔養殖施設を構成する綱類通過装置を利用して海苔網浸漬体を処理液槽に対して常に所定位置関係に保持し、海苔網および前記綱類をスムーズに通過させることができ、海苔網を確実に処理液槽中の処理液中に浸漬通過させることができ、適正な処理を施すことのできる海苔網処理装置を提案し、また前記海苔養殖施設を構成する綱類通過装置を利用して活性処理や海苔の刈取りを施すことのできる海苔作業船を提案している。
【０００５】
また、海苔網に対する種付けは、３０枚程度の多数の海苔網を重ねた状態で海中に展張して海苔の胞子を付着させて行い、その後の育苗は、種付けした海苔網を５枚程度に重ねた状態で海中に展張して行うようにしている。ところが、この種付けや育苗や本張りの際に、海中に展張されている海苔網に珪藻類が付着して海苔網が汚れてしまい、海苔の成長が阻害されたり、病気に罹りやすくなり、育苗効率が低下するという不都合があった。
【０００６】
【特許文献１】特許第３１９３６５５号公報
【発明の開示】
【発明が解決しようとする課題】
【０００７】
海苔網を船上に配置された活性処理液槽中の活性処理液内に浸漬させて活性処理を施すためには、特許文献１に示すように、海苔網を上から押さえ込んで活性処理液内に浸漬させる必要があり、装置の一層の簡略化が望まれていた。
【０００８】
本発明はこのような点に鑑みてなされたものであり、海苔活性処理装置における綱類の通過をより簡単に行うことができるとともに、海苔網や海苔を洗浄して珪藻による汚染を防止し、海苔網や海苔に対して活性処理を施して、海苔の健康的な育成をはかることができ、コストも低廉である海苔網活性処理装置を提供することを目的とする。
【課題を解決するための手段】
【０００９】
前述した目的を達成するため本発明の海苔網活性処理装置は、海苔養殖施設をもって海面に展張されている海苔網に対して活性処理を施す海苔網活性処理装置であって、船上に配置された活性処理液槽であって、中央部と、船上に持ち上げられて船首側から後方に向けて搬送される海苔網を前記中央部内に次第に浸漬するように案内する船尾側に向けて下降するように傾斜している傾斜面からなる前方ガイド面と、前記中央部内を搬送されている海苔網を次第に外部に導くように案内する船尾側に向けて上昇するように傾斜している傾斜面からなる後方ガイド面とを有する活性処理液槽と、船上に持ち上げられて船首側から後方に向けて搬送される前記海苔網を上から押えて前記活性処理液槽内の活性処理液中に浸漬させる海苔網上方押え部材とを有し、当該海苔網上方押え部材は、前記活性処理液槽の中央部に大部分が納められており、前記船首部から後方に向けて搬送される前記海苔網および海苔網を支持する綱類を上から押えて前記活性処理液槽との間を通過させように前記活性処理液槽内に自重によって前記海苔網および綱類を押えるとともに前記海苔網および綱類の張力によって活性処理液槽外に排出されないように調整されて設置されており、前記海苔網上方押え部材には、前記活性処理液槽内の処理液を汲み上げて圧送するポンプと、前記海苔網上方押え部材によって押えられて前記活性処理液槽の前方ガイド面上および後方ガイド面上を近接して搬送される海苔網に対して前記ポンプから圧送される前記処理液を噴射して海苔および海苔網を各ガイド面上において激しく振動させて洗浄を施すノズルとが設置されていることを特徴とする。
【００１０】
このように形成したので、活性処理液槽内に自重によって前記海苔網および綱類を押えるとともに前記海苔網および綱類の張力によって活性処理液槽Ｈ外に排出されないように調整されて設置された海苔網上方押え部材によって船首部から後方に向けて搬送される海苔網および海苔網を支持する綱類を前記活性処理液槽との間を通過させながら上から押えて前記活性処理液槽内の活性処理液中に浸漬させることができ、ポンプによって活性処理液槽内の処理液を汲み上げてノズルから前記活性処理液槽の船尾側に向けて下降するように傾斜している傾斜面からなる前方ガイド面上および船尾側に向けて上昇するように傾斜している傾斜面からなる後方ガイド面上を近接して搬送される海苔網に対して噴射させて、海苔網を前記前方ガイド面上および後方ガイド面上において激しく振動させながら洗浄させることができる。これにより、海苔活性処理装置における綱類の通過をより簡単に行うことができるとともに、海苔網や海苔を洗浄して珪藻による汚染を防止し、海苔網や海苔に対して活性処理を施して、海苔の健康的な育成をはかることができ、コストも低廉とすることができる。
【発明の効果】
【００１１】
以上説明したように本発明の海苔網活性処理装置は構成され作用するものであるから、海苔活性処理装置における綱類の通過をより簡単に行うことができるとともに、海苔網や海苔を洗浄して珪藻による汚染を防止し、海苔網や海苔に対して活性処理を施して、海苔の健康的な育成をはかることができ、コストも低廉である海苔網活性処理装置を提供することを目的とする。
【発明を実施するための最良の形態】
【００１２】
以下、本発明の実施の形態を図１から図５について説明する。
【００１３】
図１は本発明の海苔網活性処理装置を搭載した海苔作業船を示している。
【００１４】
図１に示すように、海苔作業船Ａによる海苔の刈取りや海苔網Ｂに対する活性処理は次のようにして行なわれる。
【００１５】
すなわち、スクリューＤ等の自走機構を備えた海苔作業船Ａを船尾に配置されている操舵室Ｃにおいて操船しながら、海苔作業船Ａの前方の水面中に張出すように設けられている前部案内部材Ｅによって海面に展張されている海苔網Ｂを掬い上げるようにして海苔作業船Ａを海苔網Ｂの下に潜るようにして進行させて行き、海苔の刈り取りと活性処理を施す場合には、甲板の前方部分に配設されている刈取り機Ｆにより海苔網Ｂから海苔を刈取り、続いて刈取り機Ｆの後方に配置されている海苔網活性処理装置Ｇの活性処理液槽Ｈ内の処理液中に海苔網Ｂを浸漬通過させることにより所定の活性処理を施し、船Ａの後方に伸縮自在にして張出された後部案内部材Ｉにより海苔網Ｂを活性処理後所定時間空中に保持して処理液を海苔網Ｂに十分に浸透させてから、再び海苔網Ｂを水面に展張させるようにしている。活性処理を施す処理液としては、公知の成分を備えた処理液を用いるとよい。
【００１６】
図２から図５は海苔網活性処理装置Ｇの１実施形態を示している。
【００１７】
本実施形態における海苔網活性処理装置Ｇは、海苔作業船Ａ上に設置されるとともに処理液が入れられる活性処理液槽Ｈと、この活性処理液槽Ｈ内に装着されており船上に持ち上げられて船首側から後方に向けて搬送される海苔網Ｂを上から押えて活性処理液槽Ｈ内の活性処理液中に浸漬させる海苔網上方押え部材Ｋとによって形成されている。
【００１８】
活性処理液槽Ｈは、図２から図５に示すように、海苔網上方押え部材Ｋの大部分が納められる矩形箱状の中央部Ｈｃと、船上に持ち上げられて船首側から後方に向けて搬送される海苔網Ｂを前記中央部Ｈｃ内に次第に浸漬するように案内する傾斜面からなる前方ガイド面Ｈｆと、前記中央部Ｈｃ内を搬送されている海苔網Ｂを次第に外部に導くように案内する傾斜面からなる後方ガイド面Ｈｒとをもって形成されている。前方ガイド面Ｈｆは船Ａの船尾側に向けて下降するように傾斜しており、後方ガイド面Ｈｒは船Ａの船尾側に向けて上昇するように傾斜している。
【００１９】
海苔網上方押え部材Ｋは、図２から図５に示すように、船首部から後方に向けて搬送される海苔網Ａおよび海苔網Ａを支持する吊り綱Ｂａ等の綱類全部を活性処理液槽Ｈとの間を通過させるように活性処理液槽Ｈ内に独立的に設置されており、自重によって海苔網Ａ等を押えるとともに海苔網Ａ等の張力によって活性処理液槽Ｈ外に排出されないように調整されている。
【００２０】
更に説明すると、海苔網上方押え部材Ｋは、主として金属製パイプを溶接して枠組み形成されているガイド部１１と、このガイド部１１の基底部１１ａの上に固着されている直方体状の自重調整用の浮力体１２とを有しており、活性処理液槽Ｈの処理液内に下方の一部を浸漬されて浮力を受けた状態における総重量を調整している。ガイド部１１は、船Ａの前後方向に配列される４本の縦方向部材１３を互いに平行となるように複数の横方向部材１４によって連結して形成されており、基底部１１ａ部分は水平に配置され、その基底部１１ａより前方部分は活性処理液槽Ｈの前方ガイド面Ｈｆにほぼ平行に傾斜する前方ガイド部１１ｂとされている。この前方ガイド部１１ｂは船首部から後方に向けて搬送される海苔網Ａおよび海苔網Ａを支持する吊り綱Ｂａ等の綱類全部を下面側を通して活性処理液槽Ｈの中央部Ｈｃ内に次第に浸漬するように案内する。各縦方向部材１３の後端部の立上げ部分１３ａと前方ガイド部１１ｂを形成する傾斜部との間には、補強用の第１上方縦部材１５がそれぞれ掛け渡されている。更に、中央部の２本の各縦方向部材１３の後端部の立上げ部分１３ａと前方ガイド部１１ｂを形成する傾斜部との間には、補強用の第１上方縦方向部材１５の上方に第２上方縦方向部材１６がそれぞれ掛け渡されている。左右２本の第２上方縦方向部材１６の間には取付板１７が掛け渡されており、その取付板１７の上に活性処理液槽Ｈ内の処理液を汲み上げて圧送するポンプ１８が装着されている。ガイド部１１の２本の左右外側の縦方向部材１３の先端部分には、略コ字形の幅方向規制部材１９がそれぞれ固着されている。各幅方向規制部材１９の外側端部間の寸法は、活性処理液槽Ｈの左右内側面より若干内側に位置する大きさに形成されており、海苔網上方押え部材Ｋの前側中心位置を活性処理液槽Ｈの中心位置に保持するものである。更に、外側の２本の縦方向部材１３の後端部の立上げ部分１３ａと幅方向規制部材１９の前方外側端部との間には、補強用の第３上方縦部材２０がそれぞれ掛け渡されている。ガイド部１１の後端部には、後方ガイド部２１が延出形成されている。この後方ガイド部２１は、外側の２本の縦方向部材１３の後端部の立上げ部分１３ａから後方に突設された略Ｕ字形の２つの縦方向部材２２とこれらの後方端部を連結する横方向部材２３とによって形成されている。２つの縦方向部材２２の後方端部の幅方向の寸法は各幅方向規制部材１９の外側端部間の寸法と同じに形成されており、海苔網上方押え部材Ｋの後側中心位置を活性処理液槽Ｈの中心位置に保持するようにされている。ガイド部１１の前方ガイド部および後方ガイド部２１の活性処理液槽Ｈの前方ガイド面Ｈｆおよび後方ガイド面Ｈｒと対面する位置にはそれぞれ前方ノズルヘッダ２４および後方ノズルヘッダ２５が幅方向に掛け渡されており、ポンプ１８の前方出水口および後方出水口（ともに図示せず）と前方パイプ２６および後方パイプ２７によって連結されている。このポンプ１８は、汲上げパイプ２８によって活性処理液槽Ｈ内の処理液を汲み上げ、前方パイプ２６および後方パイプ２７を通して前方ノズルヘッダ２４および後方ノズルヘッダ２５に処理液を圧送する。その後、前方ノズルヘッダ２４および後方ノズルヘッダ２５の各ノズル２４ａ、２５ａから、処理液が海苔網上方押え部材Ｋによって押えられて前方ガイド面Ｈｆ上および後方ガイド面Ｈｒ上を搬送される海苔網Ｂに対して噴射されて、海苔および海苔網Ｂの洗浄が施されることとなる。
【００２１】
本実施形態においては、図３から図５に示すように、海苔作業船Ａ上に掬い上げた吊り綱Ｂａを下から支えて後方へ案内する左右１対の断面円形のほぼ水平な案内部材（下方部材）２９、２９の間に活性処理液槽Ｈを設置している。
【００２２】
次に、前述した構成からなる本実施形態の作用を説明する。
【００２３】
先ず、海苔養殖施設において、海苔作業船Ａが海苔網Ｂの下に潜って行くと、海苔網Ｂが船上に掬い揚げられ、次第に船Ａの後方に移動する。この際、海苔網Ｂの吊り綱Ｂａは案内部材２９上を後方に移動する。必要に応じて刈取り機Ｆによって海苔網Ｂからよりが刈取られる。その後、海苔網Ｂを含む海苔養殖施設は、海苔網活性処理装置Ｇの部分に達すると、海苔網上部押え部材Ｋのガイド部１１に案内されて後方に進む。最初は、前方ガイド部１１ｂに案内されてその下面側に潜って行き、その後前方ガイド部１１ｂと活性処理液槽Ｈの前方ガイド面Ｈｆとの間を後方に進み、その後、活性処理液槽Ｈの中央部Ｈｃに入り、ガイド部１１の基底部１１ａの下面によって案内されて中央部Ｈｃ内を後方に進み、その後、後方ガイド２１によって案内されて活性処理液槽Ｈの後方ガイド面Ｈｒに進み後方ガイド部２１と活性処理液槽Ｈの後方ガイド面Ｈｒとの間を後方に進み、最終的に活性処理液槽Ｈを出て船Ａの後部に進み、海面に再び展張される。
【００２４】
更に説明すると、本実施形態においては、海苔網Ｂが前方ガイド部１１ｂと活性処理液槽Ｈの前方ガイド面Ｈｆとの間を後方に進む際に、前方ノズルヘッダ２４の複数のノズル２４ａから処理液Ｗの噴射を受け、当該処理液Ｗが海苔網Ｂを越えて前方ガイド面Ｈｆに衝突して跳ね返るので、この水流を受ける海苔網Ｂは前方ガイド面Ｈｆと前方ガイド部１１ｂとの間でばたばたと激しく振動する。この海苔網Ｂの振動と処理液Ｗの噴射とを受けることにより海苔網Ｂおよび海苔は、付着している珪藻等のゴミを確実に除去されて極めて良好に洗浄される。
【００２５】
このようにして前方ガイド面Ｈｆと前方ガイド部１１ｂとの間で極めて良好に洗浄された状態で活性処理液槽Ｈの中央部Ｈｃに入った海苔網ｂおよび海苔は、中央部Ｈｃ内の処理液Ｗによって極めて効率よく活性処理される。
【００２６】
その後、海苔網Ｂが後方ガイド部２１と活性処理液槽Ｈの後方ガイド面Ｈｒとの間を後方に進む際に、後方ノズルヘッダ２５の複数のノズル２５ａから処理液Ｗの噴射を受け、当該処理液Ｗが海苔網Ｂを越えて後方ガイド面Ｈｒに衝突して跳ね返るので、この水流を受ける海苔網Ｂは後方ガイド面Ｈｒと後方ガイド部２１との間でばたばたと激しく振動する。この海苔網Ｂの振動と処理液Ｗの噴射とを受けることにより海苔網Ｂおよび海苔は、再度洗浄されて後方に搬出される。
【００２７】
これにより海苔および海苔網Ｂはより確実にゴミ等を除去されて海面に戻されることとなり、海苔の健全な育生が実現される。
【００２８】
更に、本実施形態においては、海苔網上部押え部材Ｋは活性処理液槽Ｈ内に独立的に設置されているとともに十分な自重を備えているので、海苔網Ｂ等の張力を受けても船外に飛ばされること無くしかも海苔網Ｂ等の下方領域の通過を許容する。これにより、海苔活性処理装置における綱類の通過をより簡単に行うことができるとともに、構成も簡単となる。
【００２９】
また、本発明は、前記実施形態に限定されるものではなく、必要に応じて変更することができる。
【００３０】
例えば、活性処理液槽Ｈの各ガイド面Ｈｆ、Ｈｒをパンチングメタル等の穴あき状に形成して、各ノズル２４ａ、２５ａによる洗浄の際に海苔から除去された珪藻等を前記穴から外部に排出させて、珪藻等が活性処理液槽Ｈ内に持ち込まれないようにするとよい。また、海苔網Ｂに対する各ノズル２４ａ、２５ａからの処理液液の散布強さは、洗浄対象が海苔の葉体が短い育成初期の場合には散布強さを強くし、海苔の葉体が長く十分に育成している場合には、散布強さを弱くするとよい。
【図面の簡単な説明】
【００３１】
【図１】本発明に係る海苔網活性処理装置を搭載した海苔作業船の構成を示す側面図
【図２】本発明に係る海苔網活性処理装置の実施の形態の１例をスケルトン的に示す斜視図
【図３】本発明に係る海苔網活性処理装置の実施の形態の１例をスケルトン的に示す平面図
【図４】図３の４−４線に沿った断面図
【図５】図３の５−５線に沿った断面図
【符号の説明】
【００３２】
Ｇ  海苔網活性処理装置
Ｈ  活性処理液槽
Ｈｆ  前方ガイド面
Ｈｒ  後方ガイド面
Ｋ  海苔網上方押え部材
１８  ポンプ
２４ａ、２５ａ  ノズル
【図１】
0005254594.tif 000002
【図２】
0005254594.tif 000003
【図３】
0005254594.tif 000004
【図４】
0005254594.tif 000005
【図５】
0005254594.tif 000006